(57)【要約】【課題】  凍害、凍乾害、日焼け、害虫に対する防御となる果樹の樹皮保護用の発泡スプレー剤および果樹育成方法を提供することを目的とする。【解決手段】  噴射すると噴射液が発泡しつつ膨張し固化する発泡スプレー剤１００である。発泡スプレー剤の成分として果樹の樹皮に噴射後に固化する速度が果樹の樹皮上を流動するよりも速い成分とし、樹皮の表面形状に沿った形で果樹の樹皮上で固化して果樹の樹皮の気泡含有被覆体を形成せしめる。例えば、発泡スプレー剤の成分が発泡ウレタン系成分とする。また、果樹の育成を阻害する成分は含有せず、育成を促進する栄養成分を含有するもの、果樹に対する毒性が小さいが害虫および害鳥獣を忌避する成分を含有するもの、紫外線を吸収または散乱する成分を含有するものなど機能成分を配合することが可能である。【選択図】  図１
2016021903.tif 000002
【特許請求の範囲】
【請求項１】
果樹の樹皮の上に形成された気泡含有被覆体であって、
発泡スプレー剤を用いて果樹の樹皮に向けて噴射することにより、噴射液が発泡しつつ膨張するとともに、前記発泡スプレー剤の成分が、前記果樹の樹皮に噴射後に固化する速度が前記果樹の樹皮上を流動するよりも速い成分であり、前記樹皮の表面形状に沿った形で前記果樹の樹皮上で固化して形成せしめた果樹の樹皮保護用の気泡含有被覆体。
【請求項２】
前記発泡スプレー剤の成分が発泡成分を含み、前記気泡含有被覆体が気泡含有構造となり、寒冷期または寒冷時間帯において、前記気泡含有被覆体の外表面温度に対する保温効果を発揮し、熱暑期または熱暑時間帯において、前記気泡含有被覆体の外表面温度に対する断熱効果を発揮するものである請求項１に記載の果樹の樹皮保護用の気泡含有被覆体。
【請求項３】
前記発泡スプレー剤の成分が、前記果樹の育成を阻害する成分は含有せず、育成を促進する栄養成分を含有するものであり、育成促進機能を備えた請求項１または２に記載の果樹の樹皮保護用の気泡含有被覆体。
【請求項４】
前記発泡スプレー剤の成分が、前記果樹に対する毒性が小さく、害虫および害鳥獣を忌避する成分を含有するものであり、害虫および害鳥獣忌避機能を備えた請求項１から３のいずれか１項に記載の果樹の樹皮保護用の気泡含有被覆体。
【請求項５】
前記発泡スプレー剤の成分が紫外線を散乱または吸収する成分を含有するものであり、紫外線散乱または吸収機能を備えた請求項１から４のいずれか１項に記載の果樹の樹皮保護用の気泡含有被覆体。
【請求項６】
請求項１から６のいずれかに記載の気泡含有被覆体を形成するための発泡スプレー剤であって、噴射すると噴射液が発泡しつつ膨張し固化して気泡含有被覆体を形成し、
その成分が、前記果樹の樹皮に噴射後に固化する速度が前記果樹の樹皮上を流動するよりも速い成分であり、前記樹皮の表面形状に沿った形で固化して前記果樹の樹皮を被覆するものである果樹の樹皮を保護する気泡含有被覆体形成用の発泡スプレー剤。
【請求項７】
前記発泡スプレー剤の発泡成分が発泡ウレタン系成分であることを特徴とする請求項６に記載の発泡スプレー剤。
【請求項８】
保護する果樹の幹や枝に対して発泡スプレー剤を噴射することにより、噴射液が発泡しつつ膨張するとともに、その成分が、前記果樹の樹皮に噴射後に固化する速度が前記果樹の樹皮上を流動するよりも速い成分であり、前記樹皮の表面形状に沿った形で固化して前記果樹の樹皮を被覆するように気泡含有被覆体を形成せしめる、前記果樹の樹皮を保護する果樹の保護育成方法。
【請求項９】
前記気泡含有被覆体を前記果樹の樹皮上に形成して被覆することにより、前記気泡含有被覆体の持つ断熱性により凍害を低減し、前記気泡含有被覆体に混入した忌避成分により害虫および害鳥獣を忌避し、前記気泡含有被覆体の被覆により日焼けを低減せしめる、請求項８に記載の果樹の保護育成方法。
【請求項１０】
請求項８または９に記載された果樹育成方法にて育成された果実。
【発明の詳細な説明】
【技術分野】
【０００１】
本発明は、育成する樹木の凍害、虫害、日焼け等から果樹の樹皮を保護する農業用資材およびそれを用いた果樹の育成方法およびその育成方法で育成した果実に関する。
【背景技術】
【０００２】
果樹の育成には様々な問題があり果樹に被害が生じ得る。
例えば、凍害、凍乾害という被害がある。
果樹は複数年に渡って果実を収穫するものが多く、樹体は越冬することとなるが、冬期や春先の時期では、外気の低温にさらされるという問題がある。果樹が低温に遭遇し、樹体温度が０℃以下の“過冷却”と呼ばれる状態が続くと、外気から樹皮表面に霜が付いて凍結状態となる“凍害”が発生する。果樹の凍害は、寒冷地のみならず温暖地でも起こりうるものである。昼と夜の温度較差が大きくなると若木の幹や茎の部分には凍害が発生することが知られている。
凍乾害は、凍害とともに乾害も引き起こされる現象である。冬期間、土壌が凍結すると果樹木の根からの水分補給が絶たれた状態となってしまう。また、昼間の日射や寒風にさらされたりすることで樹皮から水分が奪われ、長期間にわたって徐々に樹皮の乾燥が進むことがある。
【０００３】
次に、日焼けという被害がある。日焼けは、未だ葉が茂っていない春先に問題となることが多い被害である。春先には樹木の主幹や側枝には葉がないため日差しを直接受けるが、５月６月は実は紫外線の多い時期であり、紫外線を直接多量に受けることとなり、紫外線による樹体の損傷が問題となるものである。イチジク等、樹体の日焼けによる被害を受けやすいという種類の果樹もある。
【０００４】
次に、害鳥獣による被害がある。果実はもともと鳥や獣を引き寄せて喫食させ、移動先で糞をすることで果樹の繁殖を達する目的があるため、害鳥獣による食害は起こりやすい現象である。また、果実は虫による食害も起こりやすい。
【０００５】
従来技術において、凍害防止や防虫を行うために開発された技術が幾つか知られている。
従来から果樹の凍害や凍乾害の対策として稲わらを幹や枝に巻き付けていわゆる“こも”掛けすることにより防寒材とする工夫が採られていた。図９は従来技術における稲わらを幹や枝に巻き付けていわゆる“こも”掛けした様子を示す図である。稲わらは稲刈り後の農業廃棄物であるが、空気を良く含んでおり保温効果、断熱効果が期待できることから樹皮に巻き付けることにより樹体の温度低下を防止せしめていた。
【０００６】
また、従来から果樹の凍害や凍乾害の対策としては、カルシウムを主成分とする白塗料を樹木の根元に塗布することが行われている。
このカルシウムを主成分とする白塗料を塗布することにより凍害を抑える原理は、日差しを反射して果樹の幹や枝の温度上昇を抑え、果樹の幹や枝を低温のまま維持することで、日中と夜間の一日の温度差、晴天日と曇天日の温度変化に基づく損傷を小さく抑えるというものである。無処理区分の果樹に比べてカルシウムを主成分とする白塗料の塗布処理を行った区分の果樹との温度差は１０度程度にまで及ぶことがあるとされている。
【０００７】
また、特開２００６−０７５０６８号には果樹の防御塗料が開示されている。特開２００６−０７５０６８号の防御塗料は、基本的には４０％〜６０％重量比のチタン水溶液と３０％〜４０％重量比のモビニール等のバインダーに対して、２０％〜３０％重量比のハーブの植物精油のエキスを単独又は複数種ブレンドしたものを含浸させて形成した塗料である。この防御塗料を果樹の幹や枝に塗布するものとされている。
この特開２００６−０７５０６８号に開示された果樹の防御塗料は、ハーブの植物精油のエキスの持つ保温効果、断熱効果により、この塗料が樹木の主幹や側枝に塗布されることにより、日中の温度上昇と温度低下を防止でき、樹木の急激な温度変化による凍害や樹木の日焼けを回避できるとされている。
【０００８】
また、従来から果実の害虫や害鳥獣の被害防止対策としては、果実に対する袋がけなどの手段が行われていた。
【０００９】
【特許文献１】特開２００６−０７５０６８号公報
【非特許文献１】青森県農林総合研究センターりんご試験場試験研究成績概要集（平成１６年度）
【発明の開示】
【発明が解決しようとする課題】
【００１０】
上記説明した従来の技術にはそれぞれ改善すべき問題があった。
従来の稲わらを幹や枝に巻き付ける“こも”掛けは、農作業従事者に対する負荷が大きいことが問題であった。稲わらは空気を良く含んでおり保温効果、断熱効果が期待できるが、一本一本は細いストロー状のものであり、これを樹皮にしっかりと固定して巻き付ける作業は大変な労力を必要としていた。
【００１１】
従来のカルシウムを主成分とする白塗料には以下の問題がある。
第１の問題は、樹体そのものの低温化の防止はできないという点である。
白塗料の塗布は、暖冬や春先において、晴天日の日中の温度がある程度上昇する状況になれば、温度差を小さく抑えられるという点で、凍害、凍乾害に対しては有効といえるが、日中の温度上昇を防止して低温に維持するというものなので、樹体そのものが低温にさらされることを防止することはできない。この白塗料は、りんごなどもともと低温に強い果樹に対して有効なものと言えるが、低温に強くない果樹はやはり樹体が低温にさらされること自体を防止することが求められる。
また、第２の問題は、白塗料を樹体の幹や枝のすべてに施用することは大変な労力を伴う点である。農作業従事者の高齢化が進む中、樹体の幹や枝のすべてに白塗料を塗布することは大変な作業と言える。
【００１２】
次に、特開２００６−０７５０６８号に開示された果樹の防御塗料には以下の問題がある。
第１の問題は、樹体そのものの低温化の防止には不十分という点である。ハーブの植物精油を塗布することにより施用である程度の保温効果、断熱効果が得られ、日中の温度上昇と温度低下を防止できるものの、やはり樹木の主幹や側枝が寒気にさらされた状態では、樹体の温度低下による凍害に対する十分な対策とは言い切れない場合がある。
第２の問題は、果樹の樹皮の日焼けの防止には不十分という点である。ハーブの植物精油はいわゆる日焼け止めオイルとしてのある程度の効果は期待できるものの、やはり長期間にわたり紫外線を遮断することは難しい。
第３の問題は、持続性の問題と、樹体の幹や枝のすべてに繰り返し塗布する労力の問題である。ハーブの植物精油はオイルとして疎水性があると考えられるが、やはり雨が降るたびにハーブの植物精油が樹皮表面から流れ落ち、効果持続が期待できない。そのため、果樹の防御塗料を頻繁に塗布し直す必要がある。農作業従事者の高齢化が進む中、樹体の幹や枝のすべてに果樹用の防御塗料を繰り返して塗布することは大変な作業と言える。
【００１３】
次に、従来の害虫や害鳥獣の被害防止対策としての果実に対する袋がけには労力の問題がある。果実に対する袋がけは、害虫や害鳥獣の被害防止対策としては有効であるが、果実ごとに袋をかける作業は大変な労力を伴うものであり、農作業従事者の高齢化が進む中、果実すべてに袋がけを行う作業は大変な労力と言える。
【００１４】
そこで、本発明は、上記課題を解決し、凍害、凍乾害、日焼けという問題を解決できる、果樹の樹皮保護用の発泡スプレー剤および果樹育成方法を提供することを目的とする。
また、本発明は、果実に対する防虫、防鳥、防獸効果も期待できる、果樹の樹皮保護用の発泡スプレー剤および果樹育成方法を提供することを目的とする。
【課題を解決するための手段】
【００１５】
上記目的を達成するため、本発明の果樹の樹皮保護用の気泡含有被覆体は、発泡スプレー剤を用いて果樹の樹皮に向けて噴射することにより、噴射液が発泡しつつ膨張するとともに、前記発泡スプレー剤の成分が、前記果樹の樹皮に噴射後に固化する速度が前記果樹の樹皮上を流動するよりも速い成分であり、前記樹皮の表面形状に沿った形で前記果樹の樹皮上で固化して形成せしめた果樹の樹皮保護用の気泡含有被覆体である。
上記構成により、吹き付けるだけで気泡含有被覆体が果樹の樹皮の上にとどまって樹体の形に沿って固化して樹皮を覆うことにより、細かい気泡が無数にあるため保温効果、断熱効果は高く、果樹の凍害、凍乾害を有効に防止できる。
【００１６】
ここで、前記発泡スプレー剤が発泡成分を含み、前記気泡含有被覆体が気泡含有構造となり、寒冷期または寒冷時間帯において、前記気泡含有被覆体の外表面温度に対する保温効果を発揮し、熱暑期または熱暑時間帯において、前記気泡含有被覆体の外表面温度に対する断熱効果を発揮するものであることが好ましい。微小な気泡が多量に含有された構造であれば、その保温効果、断熱効果は高いものとなることが期待でき、果樹の樹体保護が達成される。
【００１７】
次に、この気泡含有被覆体に様々な成分を配合することにより、果樹にとって有益な効果をもたらすことができる。
発泡スプレー剤の発泡成分としては、発泡ウレタン系成分など、果樹に害のない発泡成分であれば良い。
さらに、発泡スプレー剤の成分として、前記果樹の育成を阻害する成分は含有せず、育成を促進する栄養成分を含有したものとし、気泡含有被覆体が育成促進機能を備えたものとすることができる。育成を阻害する成分は果樹に負担をかけるために回避すべきであるが、逆に果樹に対する栄養成分を含めることにより果樹の成長を促進することができる。
【００１８】
また例えば、発泡スプレー剤の成分として、前記果樹に対する毒性が小さく、害虫および害鳥獣を忌避する成分を含有したものとし、気泡含有被覆体が害虫および害鳥獣忌避機能を備えたものとすることができる。害虫および害鳥獣を忌避する成分を配合しておけば、害虫や害鳥獣が果樹に近づかないという効果を与えることができる。かならずしも殺虫成分や殺鳥獣成分である必要はなく、例えば、害虫に対しては虫の嫌がる除虫菊成分、木酢液、木タール、害鳥獣に対しては猛禽類の臭い成分や大型獣の臭い成分など、木の成長を阻害しない忌避成分であれば適用することができる。
【００１９】
また例えば、発泡スプレー剤の成分として、紫外線を散乱または吸収する成分を含有するものとし、気泡含有被覆体が紫外線散乱または吸収機能を備えたものとすることができる。紫外線散乱成分としては、例えば、酸化チタンや酸化亜鉛などが知られている。紫外線吸収成分としても様々な合成化合物が知られている。これらのうち果樹に毒性のないものであれば使用することができる。
【００２０】
本発明は、気泡含有被覆体を形成する発泡スプレー剤の形で捉えることができる。発泡スプレー剤の中に発泡成分を含み、さらに当該発泡成分が、前記果樹の樹皮に噴射後に固化する速度が前記果樹の樹皮上を流動するよりも速い成分であり、前記樹皮の表面形状に沿った形で固化して前記果樹の樹皮を被覆するものとすれば、発泡スプレー剤を樹皮に向けて吹き付けるためで気泡含有被覆体を効率よく形成することができる。発泡成分としては果樹に害のないもので上記条件を満たせばよいが、例えば、発泡ウレタン系成分であれば、この条件に見合う発泡成分として調合することが可能である。
【００２１】
本発明の発泡スプレー剤、本発明の気泡含有被覆体、本発明の果樹育成方法を適用できる果樹の種類については特に限定されない。例えば、イチジク、みかん、もも、ぶどう、りんごなど多様なものがある。
【発明の効果】
【００２２】
本発明の気泡含有被覆体、発泡スプレー剤、果樹の育成方法によれば、スプレーを果樹に向けて吹き付けるだけで果樹の樹皮の上にとどまって樹体の形に沿って固化する気泡含有被覆体を形成せしめることができ、細かい気泡が無数にあるため保温効果、断熱効果は高く、果樹の凍害、凍乾害を有効に防止できる。また、スプレーを果樹に向けて吹き付けるだけで気泡含有被覆体を形成できるので、農作業の負荷が小さく、高齢農業従事者であっても簡単に施用できる。
本発明の気泡含有被覆体、発泡スプレー剤に対して、有用な成分を配合することができる。例えば、果樹の育成を促進する栄養成分を含有したものとすることができ、果樹の成長を促進することができる。また、害虫および害鳥獣を忌避する成分を含有したものとすることができる。害虫および害鳥獣を忌避する成分を配合しておけば、害虫や害鳥獣が果樹に近づかないという効果を与えることができる。また例えば、発泡スプレー剤の成分として、紫外線を吸収または散乱する成分を含有するものとすることができ、いわゆる日焼けの問題を解決することができる。
【発明を実施するための最良の形態】
【００２３】
以下、図面を参照しつつ、本発明の果樹の育成方法、並びに、本発明の果樹の育成方法により育成した果実の実施例を説明する。ただし、本発明の範囲は以下の実施例に示した具体的な用途、形状、個数などには限定されないことは言うまでもない。
以下の説明では、果樹をイチジクとする。
【実施例１】
【００２４】
図１は、本実施例１に示す発泡スプレー剤１００を簡単に示す図である。
図１は、発泡スプレー缶２００のノズルから噴射された発泡スプレー剤が、発泡して気泡を含有しつつすみやかに固化しうるものであることを示している。
発泡スプレー剤１００は、発泡スプレー缶２００から噴射すると発泡しつつ膨張し固化する成分が配合されたものであって、発泡スプレー缶２００に封入されており、噴射用のガスとともに充填されている。この発泡スプレー缶２００および発泡させる仕組み自体は汎用技術でよく、また、将来利用が可能になる技術も発泡スプレー剤１００に適用可能な限り使用できるものであることは言うまでもない。
【００２５】
なお、この発泡スプレー剤１００の成分としては、果樹の樹皮に噴射後に固化する速度が果樹の樹皮上を流動するよりも速い成分であり、樹皮の表面形状に沿った形で果樹の樹皮上で固化して果樹の樹皮の気泡含有被覆体１１０を形成せしめるものである。
例えば、発泡ウレタン系成分を含むものであれば、大気圧にさらされると十分に細かい気泡を伴って発泡する工業用の発泡ウレタンフォームが知られている。工業用発泡ウレタンフォームは、溶剤などの関係において果樹の育成を阻害する成分があり得るが、本発明のものは果樹育成用であるため、果樹の育成を阻害する成分を含まないものとする。
【００２６】
気泡含有被覆体１１０は細かい気泡を含有する比重の軽いフォームが固化したものであり、熱伝導率が低く、保温性、断熱性に優れたものとなる。本発明のものは果樹育成用であるため、例えば、冬季において、気泡含有被覆体の外表面温度が低下しても、気泡含有被覆体で被覆された果樹の樹体を保護できる保温性が求められる。そのためには、形成した気泡含有被覆体の内部に十分な気泡量が含有される厚みとなるようフォームを厚く固化できるものとし、その熱伝導率が十分に小さくなるように抑えられるものが好ましい。つまり、気泡含有被覆体１１０の吹き付け厚さを十分に確保することができれば、その保温性は達成可能である。また、熱暑期または熱暑時間帯において、気泡含有被覆体で被覆された果樹の樹体を保護できる断熱性が求められる。気泡含有被覆体１１０の吹き付け厚さを十分に確保することができれば、気泡含有被覆体の内部に十分な気泡量が含有された構造となり、断熱効果は高いものとなることが期待でき、果樹の樹体保護が達成される。
【００２７】
次に、発泡スプレー剤の配合成分の工夫について説明する。
発泡スプレー剤の主成分は、上記したように、大気圧にさらされると十分に細かい気泡を伴って発泡し、その固化速度が噴射後に果樹の樹皮上を流動するよりも速いという発泡成分であり、噴射して発泡するとそのまま樹皮にとどまるように固化するものである。
この発泡スプレー剤の主成分に対して、他の有用な成分を配合することができる。
【００２８】
図１（ｂ）は、発泡スプレー剤の成分を工夫することにより、気泡含有被覆体１１０に対して保温性、断熱性以外の機能を持たせた機能性の気泡含有被覆体１１０とした概念を簡単に説明した図である。
例えば、発泡スプレー剤の成分として、果樹に対する毒性が小さく、かつ、害虫および害鳥獣を忌避する機能成分を含有することができる。
気泡含有被覆体１１０は細かい気泡を含有した小壁面の多層構造となっており、発泡スプレー剤の機能成分は表面のみならず内部の小壁面にもあまねく遍在しており、表面が雨風等の外部環境により極めてゆっくりと削れてゆくと次々と内部の小壁面から機能成分が緩慢に放出されて行くこととなる。いま機能成分を防虫成分とすれば、長期間にわたり防虫効果を発揮することができる気泡含有被覆体１１０となる。
【００２９】
図１（ｂ）に示すように、機能成分として防虫効果のある樟脳系成分、ナフタレン系成分、パラジクロロベンゼン系成分、ピレスロイド系成分などを、主成分のポリウレタン系発泡成分とガスなどとともに配合しておけば、噴射により形成される気泡含有被覆体１１０には、長期間にわたる保温性・断熱性とともに、防虫効果も有するものとなる。
また、害鳥獣忌避成分としては、木酢液、木タール、カラシ（カプサイシン）、さらには大型獣の糞や尿の臭い成分などを、主成分のポリウレタン系発泡成分とガスなどとともに配合しておけば、噴射により形成される気泡含有被覆体１１０には、長期間にわたる保温性・断熱性とともに、害獣忌避効果も有するものとなる。
【００３０】
次に、発泡スプレー剤の成分として、紫外線を吸収または散乱する機能成分を含有することができる。
気泡含有被覆体１１０は細かい気泡を含有した小壁面の多層構造となっており、発泡スプレー剤の機能成分は表面のみならず内部の小壁面にもあまねく遍在しており、日差しにより紫外線が外界から照射されても、表面のみならず次々と内部の小壁面を通過してゆくたびに紫外線吸収または紫外線散乱の機能成分により減衰してゆくこととなる。いま機能成分を紫外線吸収または紫外線散乱の機能成分とすれば、長期間にわたり紫外線による日焼けを防止する効果を発揮することができる気泡含有被覆体１１０となる。
【００３１】
図１（ｂ）に示すように、機能成分として紫外線散乱効果のある酸化チタン、酸化亜鉛などを、主成分であるポリウレタン系発泡成分とガスなどとともに配合しておけば、噴射により形成される気泡含有被覆体１１０には、長期間にわたる保温性・断熱性とともに、紫外線散乱効果、つまり、果樹のいわゆる日焼け防止効果も有するものとなる。また、機能成分として紫外線吸収効果のあるメトキシケイヒ酸オクチルやなどの機能成分を、主成分であるポリウレタン系発泡成分とガスなどとともに配合しておけば、噴射により形成される気泡含有被覆体１１０には、長期間にわたる保温性・断熱性とともに、紫外線散乱効果、つまり、果樹のいわゆる日焼け防止効果も有するものとなる。
【００３２】
次に、果樹に対する発泡スプレー剤１００の施用の概念を説明する。
図２は、果樹に発泡スプレー剤１００を吹き付けて気泡含有被覆体１１０を形成する概念を簡単に示したものである。
図２は、通常よく見られる直立した立木の果樹３００の幹に対して発泡スプレー剤１００を吹き付けて気泡含有被覆体１１０を形成する概念を示したものである。発泡スプレー剤１００の成分は、果樹３００の樹皮に噴射後に固化する速度が果樹３００の樹皮上を流動するよりも速い成分であるため、樹皮に吹き付けた後、そのまま樹皮表面に沿った形で固化して気泡含有被覆体１１０が形成される。農作業の観点からみれば、発泡スプレー缶２００を立木状の果樹の樹皮の周囲に吹き付けるだけで気泡含有被覆体１１０が簡単に形成できるので、高齢者の農作業従事者であっても容易に作業することができ、きわめて優れたものであることが分かる。
【００３３】
なお、直立した立木の果樹３００の幹に吹き付ける場合、地面に到達するように根元まで形成しておくこと好ましい。幹の途中だけに気泡含有被覆体１１０を形成すると、気泡含有被覆体１１０において大きくひび割れ等すると立木の果樹３００の幹から一部の断片が塊として落下することもあり得る。一箇所が落下すると連鎖して全体が落下することもあり得る。そこで、地面に到達するように根元まで気泡含有被覆体１１０を形成しておけば、気泡含有被覆体１１０において一部にひび割れ等が発生しても全体が連鎖して崩壊しづらくなる。
【００３４】
図３は、イチジクなどに見られる一文字整枝法で整えられた樹形、つまり、主枝を主幹から横方向に寝かせて伸ばした樹形の果樹３００に対して発泡スプレー剤１００を吹き付けて気泡含有被覆体１１０を形成する概念を示したものである。
図３に示した果樹３００は、主幹部３１０、主枝部３２０、結果枝３３０の各部を備えた構成となっているが、果樹であれば本発明の発泡スプレー剤を施用可能であるので、図３のような樹形を持つ果樹３００に限定されるものではない。
図３に示すように、果樹３００は、地中の根から順に、主幹部３１０、主枝部３２０、結果枝３３０とつながっている。イチジク等の果樹の栽培に良くみられる樹形である。
【００３５】
主幹部３１０は、果樹３００における地中の根につながる幹の部分であり、結果枝３３０が設けられていない部分である。本発明では、主幹部３１０は、図２に示すように、地表面に立ち上がっている幹である立ち上がり部分３１１と、途中で横向きに曲げられて寝かされている横向き部分３１２がある。
【００３６】
まず、主幹部３１０は、幹として果樹３００全体を支える幹の役割を果たすとともに、主枝部３２０や結果枝３３０の地表面からの高さを制御する部分である。この主枝部３２０や結果枝３３０の地表面からの高さを制御に関しては、地表面に立ち上がっている立ち上がり部分３１１が担っている。
【００３７】
主幹部３１０の立ち上がり部分３１１の高さは、結果枝３３０が農作業に適した高さとなるように抑えた高さに制限することが多い。一例であるが、この例では、主幹部３１０の高さが４０ｃｍから８０ｃｍとし、その範囲で立ち上がり部分３１１が屈曲して横向き部分３１２に変化している。その結果、主幹部３１０につながる主枝部３２０の高さは同じく４０ｃｍから８０ｃｍとなる範囲となる。さらに、結果枝３３０は主枝部３２０の側方からやや上方に向けて伸びるため、果実が着果する高さは農作業者にとって扱いやすい高さである１００ｃｍから１６０ｃｍ程度にコントロールすることができる。
【００３８】
次に、本発明における主幹部３１０の横向き部分３１２は、主幹部３１０を畝に沿って寝かして伸ばした部分である。図２では各々の果樹３００から左右に向けて主幹部３１０の横向き部分３１２が伸びている。一例であるが、この例では、主幹部の長さが畝における隣接する果樹の主幹同士が衝突しない程度の長さとする。畝における果樹の間隔が４００ｃｍであれば、主幹部３１０は２００ｃｍ程度の長さであれば隣接する果樹３００の主幹部３１０同士が衝突しない。
【００３９】
結果枝３３０は、主枝部３２０の側方から伸びる枝であり、果実３４０が結実する枝である。なお、結果枝３３０は、適宜剪定することが好ましい。果実の数が多すぎると果樹から供給される栄養分が分散してしまい、一つ一つの果実が十分大きくならず、商品価値が小さいものとなってしまう。剪定により結果枝３３０の数を調整すれば、収穫できる果実３４０の数は少なくなるが、一つ一つの果実が十分大きくなり、商品価値が大きいものとなる。
【００４０】
この結果枝３３０における果実の着果位置の高さは、農作業従事者の作業効率を鑑みると、果実の着果位置の高さを１００ｃｍから１６０ｃｍ程度となるようコントロールすることが好ましい。それに見合うように主幹部３１０の立ち上がり部分３１１の高さを調整する必要がある。
【００４１】
図３に示したような樹形の果樹３００であれば、気泡含有被覆体１１０を形成するメインの箇所となる主枝３２０部分は横向きに寝ており、樹皮に吹き付けた後はそのまま樹皮表面に沿った形で安定した状態で固化して気泡含有被覆体１１０を形成することができる。農作業の観点からみれば、発泡スプレー缶２００を４０ｃｍから８０ｃｍ程度の高さに設けられた横向きの主枝部３２０の樹皮に吹き付けるだけで気泡含有被覆体１１０が簡単に形成できるので、高齢者の農作業従事者であっても容易に作業することができ、きわめて優れたものであることが分かる。
なお、気泡含有被覆体１１０は、横向きの主枝部３２０のみならず、主幹部３１０や結果枝３３０に対して施用しても良いことは言うまでもない。
【００４２】
次に、本発明の発泡スプレー剤の施用と果樹３００の育成例を示しておく。
図４は果樹園の畝において本発明の果樹の育成方法を適用した果樹群の形成手順を簡単に示す図である。
まず、図４（ａ）に示すように、畝に植樹した果樹３００の主幹部３１０を形成する。この際に所定高さ（例えば４０ｃｍから８０ｃｍ）に到達すると屈曲させて横向きに伸ばす。この屈曲により立ち上がり部分３１１と横向き部分３１２が形成される。
横向き部分３１２が形成された後、さらに寝かせた状態で主枝部３２０を形成する。
【００４３】
次に、図４（ｂ）に示すように、主幹部３１０の立ち上がり部分３１１と、横向き部分３１２、主枝部３２０に対して、発泡スプレー缶２００のノズルを向けて、発泡スプレー剤１００を噴射して気泡含有被覆体１１０を形成してゆく。
なお、主幹部３１０の立ち上がり部分３１１が形成されれば、横向き部分３１２を育成中の段階において、育成済みの主幹部３１０の立ち上がり部分３１１に対して発泡スプレー剤１００を噴射して気泡含有被覆体１１０を形成しても良い。さらに、横向き部分３１２に続いて主枝部３２０を育成中の段階において、育成済みの横向き部分３１２に対して発泡スプレー剤１００を噴射して気泡含有被覆体１１０を形成しても良い。
【００４４】
次に、図４（ｃ）に示すように、主枝部３２０から上方に向けて結果枝３３０を伸ばしてゆく。これで樹形が完成する。
なお、結果枝３３０を育成中の段階において、形成済みの主幹部３１０の横向き部分３１２、主枝部３２０に対して発泡スプレー剤１００を噴射して気泡含有被覆体１１０を形成しても良い。
なお、結果枝３３０は果実を取れば切り落とすので、図４（ｂ）から図４（ｃ）への形成は毎年繰り返して行うこととなる。
主枝部３２０に関しては適切な耐用年数が経過すれば切り落とし、当該年に図４（ａ）から図４（ｂ）への形成を伴うこととなる。
【００４５】
図５は、本発明の発泡スプレー剤の実際の施用例と果樹の育成例を示した図である。果樹はイチジクである。
図５（ａ）は、高さ４０ｃｍ程度のイチジクの横向き部分３１２の上面に本発明の発泡スプレー剤を施用した様子を示す図である。図５（ｂ）は、主枝部３２０の上面に本発明の発泡スプレー剤を施用した箇所の拡大図である。
図５（ａ）および図５（ｂ）は、吹き付けられたスプレー剤が流動して流れ落ちることなく、樹皮の形に沿って安定した状態で固化して気泡含有被覆体１１０が形成されていることが分かる。
【００４６】
なお、図５（ｂ）の状態から結果枝３３０を伸ばすが、この際、気泡含有被覆体１１０が形成されている上面を避けて下面にある芽を活かして上面に向けて結果枝３３０を伸ばすことが好ましい。図５（ｂ）では図示した芽を活かして結果枝３３０を伸ばすと良い。
【００４７】
図６は、図５の状態から芽かき前後まで経過した気泡含有被覆体１１０の状態を示した図である。
芽かきまで経過しても気泡含有被覆体１１０はしっかりと樹皮に固化した状態でとどまっている。
【００４８】
図７は、図５の状態から３年を経過した後の気泡含有被覆体１１０の状態と内部の果樹の育成状態を示した図である。
図７（ａ）は、図５の状態から３年を経過した後の気泡含有被覆体１１０の状態を示す図である。図７（ａ）に示すように、気泡含有被覆体１１０の表面は多少の変形が見られるものの、十分しっかりと樹皮に固化した状態でとどまっていることが分かる。
図７（ｂ）は、内部の果樹の育成状態を確認するために一部の気泡含有被覆体１１０を破壊して内部の果樹の樹皮を露出させた様子を示す図である。図７（ｂ）に示すように、内部の果樹の育成状態はきわめて良好であり、樹皮にも特段の凍害の損傷、日焼けによる損傷はない。また、害虫による食害の損傷などもない。
【００４９】
一方、図８は、比較対象のために本発明の発泡スプレー剤１００を吹き付けず気泡含有被覆体１１０を形成しなかった無施用の果樹の様子を示す図である。図８に示すように、無施用の状態では、果樹の樹皮は割れ、内部の樹体にも凍害による損傷、日焼けによる損傷、さらに、害虫による食害の損傷などがみられることが分かる。
図７（ｂ）と図８との比較により、本発明の発泡スプレー剤１００の吹き付けにより気泡含有被覆体１１０を形成したことによる効果が十分に発揮できたことが確認できる。
【００５０】
次に、本発明の発泡スプレー剤１００の吹き付けにより気泡含有被覆体１１０の保温効果と断熱効果について、気泡含有被覆体１１０施用木と無施用の試験木を用いて実際に測定して検証してみた。
測定箇所は高さ４０ｃｍ程度のイチジクの横向きの主枝部の上面とした。
測定期間は１２月２４日から１２月２７日の冬季期間を選んだ。
測定結果は、測定対象の最低温度、最高温度を平均したものを示す。
【表１】
2016021903.tif 000003
【００５１】
上記結果を見ると、最低気温において、無施用木に比べて約３℃の保温効果が認められた。なお外気温よりも無施用木の表面温度は低くなっているが、これは表面からの蒸散などによる放射冷却のためと考えられる。この計測日における気温は−５℃程度であったが、外気温が低いほど、無施用木と気泡含有被覆体施用木の表面温度の差は大きくなって高い保温効果が得られることが期待できる。
また、断熱効果については、最高気温において、無施用木に比べて約７℃程度の保温効果が認められた。なお外気温よりも無施用木の表面温度は高くなっているが、これは直射日光による温度上昇のためと考えられる。この計測日における気温は１０℃程度であったが、外気温が高いほど、無施用木と気泡含有被覆体施用木の表面温度の差は大きくなって高い断熱効果が得られることが期待できる。
【００５２】
次に、防寒資材を施用した場合の発芽に及ぼす影響について検証してみた。
発芽は、発芽時期の早さと発芽率で評価することができる。つまり、凍害の影響が少なく、樹体の温度が発芽に足る温度に保温されておればその分発芽が早くなり、また、凍害の影響が少なく、樹体の状態が良好であればその分発芽率が大きくなる。下記に結果をまとめた。なお平均発芽要日数は、４月２５日を基準日としてそこから発芽まで何日を要したかという日数で表わしている。発芽率は、芽となり得る節の数に対して実際に発芽した数の割合で示した。
【表２】
2016021903.tif 000004
【００５３】
上記結果を見ると、平均発芽要日数は、気泡含有被覆施用木は、稲わら施用木と同等程度の発芽日数（１０日から１２日程度）となっており、無施用木（１５日程度）に比べて発芽が早いことが確認できた。稲わら施用木同様、凍害の影響が少なく、樹体の温度が高く保温されていることが検証できた。また、発芽率を見ると、無施用木で１５％程度、稲わら施用木が４５％程度の発芽率であるところ、気泡含有被覆施用木は６６．７％と高い発芽率を達成していることが確認できた。このことから、凍害の影響が少なく、樹体の状態が良好に維持されていることが検証できた。
【００５４】
以上、本発明の実施例にかかる果樹の樹皮保護用の発泡スプレー剤、果樹の樹皮保護用の気泡含有被覆体、果樹の育成方法について説明した。
【００５５】
本発明の技術的範囲を逸脱することなく種々の変更が可能であることは理解されるであろう。従って本発明の技術的範囲は添付された特許請求の範囲の記載によってのみ限定されるものである。
【図面の簡単な説明】
【００５６】
【図１】図１は、本実施例１に示す発泡スプレー剤１００を簡単に示す図である。
【図２】図２は、果樹に発泡スプレー剤１００を吹き付けて気泡含有被覆体１１０を形成する概念を簡単に示したものである。
【図３】主枝を主幹から横方向に寝かせて伸ばした樹形の果樹３００の幹に対して発泡スプレー剤１００を吹き付けて気泡含有被覆体１１０を形成する概念を示した図である。
【図４】果樹園の畝において本発明の果樹の育成方法を適用した果樹群の形成手順を簡単に示す図である。
【図５】本発明の発泡スプレー剤の実際の施用例と果樹の育成例を示した図である。
【図６】図５の状態から芽かき前後まで経過した気泡含有被覆体１１０の状態を示した図である。
【図７】図５の状態から３年を経過した後の気泡含有被覆体１１０の状態と内部の果樹の育成状態を示した図である。
【図８】比較対象のために本発明の発泡スプレー剤１００を吹き付けず気泡含有被覆体１１０を形成しなかった無施用の果樹の様子を示す図である。
【図９】従来技術における稲わらを幹や枝に巻き付けていわゆる“こも”掛けした様子を示す図である。
【符号の説明】
【００５７】
１００  発泡スプレー剤
１１０  気泡含有被覆体
２００  発泡スプレー缶
３００  果樹
３１０  主幹部
３１１  立ち上がり部分
３１２  横向き部分
３２０  主枝部
３３０  結果枝
【図１】
2016021903.tif 000005
【図２】
2016021903.tif 000006
【図３】
2016021903.tif 000007
【図４】
2016021903.tif 000008
【図５】
2016021903.tif 000009
【図６】
2016021903.tif 000010
【図７】
2016021903.tif 000011
【図８】
2016021903.tif 000012
【図９】
2016021903.tif 000013